(57)【要約】本発明はスマート電子ロック及びスーツケースに関わっている。スマート電子ロックは、フロントシェルとリアシェルの囲みからなる収容チェンバーを持つシェルボディ、前記収容チェンバーに置かれるロックシリンダー部品、二つの固定部品を含む。前記二つの固定部品はそれぞれ前記リアシェルの上部と下部と対応する。シェルボディには、固定部品の一つと上下方向で噛み合う噛み合い仕組みがある。シェルボディには、固定部品のもう一つと前後方向で締め付けるボタン部品がある。ボタン部品と締め付ける固定部品はシェルボディと固定される。フロントシェルのパネルにはセンサーがある。収容チェンバーには回路盤部品がある。ロックシリンダー部品は、回路盤部品の制御により移動されることで、前記ボタン部品を押す時に、もう一つの前記固定部品は前後方向で前記ボタン部品を推しアンロックする。本発明は現有技術でパスワードロックの低い安全性、煩雑な設定の問題を解決している。【選択図】図１
2019520947.tif 000002
【特許請求の範囲】
【請求項１】
フロントシェルとリアシェルの囲みからなる収容チェンバーを持つシェルボディ、前記収容チェンバーに置かれるロックシリンダー部品、二つの固定部品を含み、前記二つの固定部品はそれぞれ前記リアシェルの上部と下部と対応し、前記シェルボディには、前記固定部品の一つと上下方向で噛み合う噛み合い仕組みがあって、
前記シェルボディには、前記固定部品のもう一つと前後方向で締め付けるボタン部品があって、前記ボタン部品と締め付ける前記固定部品は前記シェルボディと固定され、前記フロントシェルのパネルには光制御信号を受信するセンサーがあって、前記収容チェンバーに、前記センサーの受信する光信号を電気信号に変換する回路盤部品があって、前記ロックシリンダー部品は、前記回路盤部品の制御により移動されることで、前記ボタン部品を押す時に、もう一つの前記固定部品は前後方向で前記ボタン部品を推しアンロックする、ことを特徴とするスマート電子ロック。
【請求項２】
請求項1記載のスマート電子ロックにおいて、前記ロックシリンダー部品は直立設置の電磁石、前記電磁石の頂部又は底部に設置され且つ前記電磁石に押され上下方向で動く直立ポール、前記直立ポールの頂部又は底部に設置される水平ポール及び第一弾性部品を含み、水平ポールの一端は斜面を通し直立ポールの頂部又は底部と寄り添い、第一弾性部品は水平ポールのもう一端に設置されることで水平ポールがリセットできるようにすることを特徴とする、スマート電子ロック。
【請求項３】
請求項2記載のスマート電子ロックにおいて、前記ボタン部品はボタン、ボタンの内側にありボタンに押されると動く推進部品、及び推進部品に設置される第二弾性部品を含み、前記推進部品には第一フックが設置され、前記ボタンの内側には内側ポールが内側へ突っ張り、前記水平ポールには逃げ溝があって、ロックした状態では、前記推進部品の第一フックと一前記固定部品が締め付けられ、前記内側ポールの端部は前記水平ポールに突っ張り、アンロックした時には、前記水平ポールは前記直立ポールに押され下へ動き、前記ボタンが押される時に、前記内側ポールの端部は前記逃げ溝に入り、前記ボタンは前記推進部品を押し動かすことで、前記第一フックと前記固定部品脱離を分離させることを特徴とする、スマート電子ロック。
【請求項４】
請求項3記載のスマート電子ロックにおいて、前記内側ポールは二つがあり、二つの前記内側ポールは前記ボタンの内側に平行に設置され、前記ボタンの内側には二つの支柱もあり、二つの前記支柱はそれぞれ二つの前記内側ポールの外側にあり、前記推進部品は二つあり、それぞれ二つの前記支柱の内側にあることを特徴とする、スマート電子ロック。
【請求項５】
請求項4記載のスマート電子ロックにおいて、二つの前記推進部品は前記ボタンに向く表面には階段状の第一配合面があり、二つの前記支柱は前記推進部品に向く表面には階段状の第二配合面があり、前記第一配合面の階段と前記第二配合面の階段は交錯し噛み合うことを特徴とする、スマート電子ロック。
【請求項６】
請求項1〜5のいずれか１項に記載のスマート電子ロックにおいて、前記ボタン部品と締め付ける前記固定部品は、固定子、前記固定子内側にねじり設置する駆動部品及びねじりばねを含み、前記駆動部品は前記固定子の一端から離れ前記シェルボディに固定され、前記固定子の内側には前記ボタン部品とかみ合う第二フックが設置されることを特徴とする、スマート電子ロック。
【請求項７】
請求項6記載のスマート電子ロックにおいて、前記駆動部品は、前記固定子の内側に水平に固定される回転軸及び相対的に設置される二つのサポートアームを含み、二つの前記サポートアームの頂部はそれぞれ前記回転軸の両端に固定され、二つの前記サポートアームの底部はそれぞれ前記シェルボディに固定され、前記ねじりばねは前記回転軸にかぶせ、前記ねじりばねの一端は前記固定子の内側に突っ張り、前記ねじりばねのもう一端は前記リアシェルに突っ張ることを特徴とする、スマート電子ロック。
【請求項８】
請求項6記載のスマート電子ロックにおいて、前記収容チェンバーには前記リアシェル外側から突き出す二つの取付け子があり、二つの前記サポートアームはそれぞれ固定ピンにより二つの前記取付け子と固定接続することを特徴とする、スマート電子ロック。
【請求項９】
請求項1記載のスマート電子ロックにおいて、前記噛み合い仕組みは前記リアシェル上の二つのスロットがあり、前記噛み合い仕組みの噛み合う固定部品は、固定部品及び前記固定部品に設置され且つ上下方向でそれぞれ二つの前記スロットに挿す二つの突起を含むことを特徴とする、スマート電子ロック。
【請求項１０】
ケースボディ及びケースカバーを含み、前記ケースボディと前記ケースカバーの間には請求項1〜9のいずれか１項に記載の前記スマート電子ロックを設置していることを特徴とするスーツケース。
【発明の詳細な説明】
【技術分野】
【０００１】
本発明はスマートロックの技術分野に関わり、具体的に言えば、スマート電子ロック及びスーツケースに関わっている。
【背景技術】
【０００２】
一般のスーツケースロックは数字によるパスワードロックでロック機能を実現しているが、このようなパスワードロックは下記のような欠陥がある：
一、低い安全性：パスワードロックは3桁の数字を使うことが多い。パスワードを知らない状況でも、複数回の試みによりパスワードを取得し、アンロックできるのである；
二、煩雑な設定：パスワードロックの初期パスワードはデフォルトを「000」とすることが多い。ほかの数字に設定する場合は、時間が経つと忘れやすくて、パスワードロックが使えなくなってしまう；
三、単一な機能：一般のパスワードロックは機械方式でアンロックするので、ロックとアンロックの二つの状態しかなく、ほかの機能が拡張できない。
【発明の概要】
【０００３】
本発明の目的は一種類のスマート電子ロック及びスーツケースを提供し、現有技術でパスワードロックの低い安全性、煩雑な設定の問題を解決することである。
【０００４】
本発明の一方面により、一種類のスマート電子ロックは、フロントシェルとリアシェルの囲みからなる収容チェンバーを持つシェルボディ、前記収容チェンバーに置かれるロックシリンダー部品、二つの固定部品を含む。前記二つの固定部品はそれぞれ前記リアシェルの上部と下部と対応する。前記シェルボディには、前記固定部品の一つと上下方向で噛み合う噛み合い仕組みがある。前記シェルボディには、前記固定部品のもう一つと前後方向で締め付けるボタン部品がある。前記ボタン部品と締め付ける前記固定部品は前記シェルボディと固定される。前記フロントシェルのパネルには光制御信号を受信するセンサーがある。前記収容チェンバーに、前記センサーの受信する光信号を電気信号に変換する回路盤部品がある。前記ロックシリンダー部品は、前記回路盤部品の制御により移動されることで、前記ボタン部品を押す時に、もう一つの前記固定部品は前後方向で前記ボタン部品を推しアンロックする。
【０００５】
本発明の第二方面により、一種類のスーツケースを提供している。ケースボディ及びケースカバーを含む。前記ケースボディと前記ケースカバーの間に前記スマート電子ロックが配置されている。
【０００６】
本発明の実施により、スマート電子ロックはユーザが使いやすいように、自由に手動的にロックし、光制御信号によりアンロックすることができ、長期未使用によるパスワード忘れの問題を回避できる；同時に、ロックシリンダー部品はロック本体に取り付けられ、不正方法によるアンロックを回避し、安全性がよい；このような光制御によるアンロック方法が目新しくて、ユーザへ真新しい体験をもたらしている；ロックシリンダー部品は回路により制御するため、回路によりほかの機能を拡張できる。例えば、GPSロケーション機能、弱電注意機能などがある。それにより、さらにスマート電子ロックの使用性能を向上している。
【図面の簡単な説明】
【０００７】
【図１】図1は、本発明の実施例により提供されるスマート電子ロックの分解立体図である。
【図２】図2は、本発明の実施例により提供されるスマート電子ロックのもう一つの角度の分解立体図である。
【図３】図3は、本発明の実施例でのロックシリンダー部品の構成概略図である。
【図４】図4は、本発明の実施例でのボタン部品の構成概略図である。
【図５】図5は、本発明の実施例でのボタン部品の分解立体図である。
【図６】図6は、本発明の実施例での下方固定部品の構成概略図である。
【図７】図7は、本発明の実施例での上方固定部品の構成概略図である。
【図８】図8は、本発明の実施例でのシェルボディの側面断面図である。
【図９】図9は、本発明の実施例でのスマート電子ロックのロックされた時の側面断面図である。
【図１０】図10は、本発明の実施例でのスマート電子ロックのロックされた時の後方断面図。
【図１１】図11は、本発明の実施例でのスマート電子ロックのアンロックされた時の側面断面図一である。
【図１２】図12は、本発明の実施例でのスマート電子ロックのアンロックされた時の側面断面図二である。
【図１３】図13は、本発明の実施例でのスマート電子ロックのアンロックされた時の後方断面図である。
【発明を実施するための形態】
【０００８】
図1、図2をご参照ください。本発明は一種類のスマート電子ロックを提供している。収容チェンバー110を持つシェルボディ100、収容チェンバー110に置かれるロックシリンダー部品200及び二つの固定部品を含む。その中、シェルボディ100はフロントシェル120とリアシェル130の囲みからなっている。二つの固定部品はそれぞれリアシェル130の上部と下部にある。説明しやすいように、本実施例では、二つの固定部品をそれぞれ上方固定部品300及び下方固定部品400と呼ぶ。その中、リアシェル130の上部には上方固定部品300と上下方向で噛み合う噛み合い仕組み131が設置され、リアシェル130の下部には下方固定部品400と前後方向で締め付けるボタン部品500が設置されている。同時に、下方固定部品400とシェルボディ100が固定接続されている。フロントシェル120のパネル121には、光制御信号を受信するセンサー122が配置され、収容チェンバー110にはセンサー122の受信した光信号を電気信号に変換する回路盤部品が配置されている（図に示されていない）。ロックシリンダー部品200は回路盤部品の制御により移動されることで、ボタン部品500を押す時に、下方固定部品400が前後方向でボタン部品500を推し、下方固定部品400とボタン部品500の間のロック状態が解除される。本実施例では、収容チェンバー110はフロントシェル120内にあり、開け口が後ろに向いている。リアシェル130は板状構成となり、リアシェル130の板状構成は完全収容チェンバー110の開け口を密封していない。図8のように、リアシェル130の下部にはボタン部品500を取り付けるための取付け箇所132を設置し、上へボタン部品500を押しアンロックする。スマート電子ロックがスーツケース等のかのボックス構成に応用される場合は、上方固定部品300と下方固定部品400はそれぞれケースカバー及びケースボディに固定される。同時に、下方固定部品400とシェルボディ100が固定接続される。ケースカバーにある上方固定部品300は、シェルボディ100の噛み合い仕組み131と初歩的に噛み合うことに使われる。ケースボディにある下方固定部品400とボタン部品500は、シェルボディ100とケースボディを締め付け、さらにケースカバーにある上方固定部品300とシェルボディ100の噛み合い仕組み131が分離できないようにし、最終的にケースカバーとケースボディをきつく締め付ける；下方固定部品400とボタン部品500はアンロックされると、噛み合い仕組み131と上方固定部品300は締め付け強化から脱出し、気軽に開くことができ、即ち、上方固定部品300とシェルボディ100の噛み合い仕組み131が開くことで、ケースカバーとケースボディの間が制約無しにオーペン状態になる。
【０００９】
よりよいこととしては、本発明のセンサー122は携帯電話のフラッシュからの光信号を受信し、携帯電話のフラッシュは携帯電話のAPPソフトの制御により、発光点滅の方法でアンロック信号付きの光信号を発信する。
【００１０】
もちろん、本実施例では、噛み合い仕組み131と上方固定部品300の配合構成はシェルボディ100の下部に設置してもいい。それに対し、ボタン部品500と下方固定部品400の配合構成をシェルボディ100の上部設置する。位置を入替える後に、ボタン部品500を下へ押すとアンロックする。
【００１１】
本実施例のスマート電子ロックは、自由に手動的にロックし、携帯電話のAPPでの光制御によりアンロックし、ユーザが使いやすく、長期未使用によるパスワード忘れの問題を回避している；同時に、ロックシリンダー部品200はロック本体に取り付けられ、ほかの不正方法によりアンロックすることを回避し、安全性が高い；このような光制御によりアンロックする方法が目新しくて、ユーザへ真新しい体験をもたらしている；同時にロックシリンダー部品200は回路により制御するため、回路によりほかの機能を拡張できる。例えば、GPSロケーション機能、弱電注意機能などがある。それにより、さらにスマート電子ロックの使用性能を向上している。
【００１２】
本実施例では、スマート電子ロックはロックシリンダー部品200、ボタン部品500、上方固定部品300及び下方固定部品400の幾つかの主要な構成部分からなっている。下記から前記構成部分を詳しく説明する。
【００１３】
図3をご参照ください。ロックシリンダー部品200は収容チェンバー110に設置され、主として電子ロックの開け閉めを実現することに使われる。ロックシリンダー部品200は直立設置の電磁石210、電磁石210の底部に設置される直立ポール220、直立ポール220の底部に設置される水平ポール230及び第一弾性部品240を含む。水平ポール230の一端は斜面250を通し直立ポール220の底部と寄り添い、第一弾性部品240は水平ポール230のもう一端に設置されることで水平ポール230がリセットできるようにする。電磁石210が通電する後に、電磁石210は下へ動き、直立ポール220に対し下向きの推力をかける。直立ポール220と水平ポール230の間は斜面250にて寄り添っているため、直立ポール220が下へ動く時に、斜面250を利用し水平ポール230を押し水平方向で動かし、第一弾性部品240を圧縮する；電磁石210が送電を断たれた後に、直立ポール220に対する電磁石210の推力が消え、第一弾性部品240がリセットされ、水平ポール230を水平に移動させ、再度斜面250を利用し直立ポール220を上へ動かす。
【００１４】
ボタン部品500は水平ポール230の下方にある。図4と図5のように、ボタン部品500はボタン510、ボタン510の内側にありボタン510に押されると動く推進部品520、及び推進部品520に設置される第二弾性部品530を含む。ボタン510の内側は二つの内側ポール511を内側へ平行に突き出す。二つの内側ポール511の外側にはそれぞれ一つの支柱512が設置される。推進部品520はそれと相応に二つがある。二つの推進部品520は相応に二つの支柱512の内側にある。
【００１５】
推進部品520は水平に設置される接続部521及び噛合い部522を含む。接続部521は支柱512と合わせ、噛合い部522は支柱512と内側ポール511の間にある。支柱512と内側ポール511の間には隙間513があり、噛合い部522は隙間513にある。図9のように、各推進部品520の噛合い部522は下方固定部品400の辺縁に向き下へ突き出し、第一フック523を形成する。下方固定部品400中の噛合い構成は隙間513から入り第一フック523と噛み合う。接続部521のボタン510に向く表面は階段状の第一配合面524があり、二つの支柱512の推進部品520に向く表面は階段状の第二配合面525があり、第一配合面524の階段と第二配合面525の階段が交錯し噛み合う。本実施例では、ボタン510と推進部品520は二つの独立部品であるため、このような階段状の配合面の構成を設置すると、ボタン510が動く時に精確に推進部品520を押すことを保証できる。接続部521のボタン510から離れる表面には第一固定柱526が設置される。第二弾性部品530はばねであり、ばねの一端は第一固定柱526にかぶせる。図11のように、ばねのもう一端は収容チェンバー110内の第二固定柱112に突っ張る。
【００１６】
図2と図6のように、本実施例では、ボタン部品500と締め付けられる下方固定部品400は固定子410、固定子410内側にねじり設置される駆動部品420及びねじりばね430を含む。固定子410の内側の底部は二つの第一フック523と噛み合う第二フック411を内側へ突き出す。固定子410の内側の頂部は二つの取付け部412を向かい合わせて設置する。駆動部品420は、回転軸421及び相対的に設置される二つのサポートアーム422を含む。回転軸421は水平に置かれ、回転軸421の両端部はそれぞれ二つの取付け部412に固定される。二つのサポートアーム422は斜めに置かれ、二つのサポートアーム422の頂部はそれぞれ回転軸421の両端に固定され、二つのサポートアーム422の底部はそれぞれシェルボディ100に固定される。具体的には、収容チェンバー110にはリアシェル130の外側から突き出す二つの取付け子111があり、二つのサポートアーム422の底部はそれぞれ固定ピン600と二つの取付け子111により固定接続される。ねじりばね430は回転軸421にかぶせ、ねじりばね430の一端は固定子410の内側に突っ張り、ねじりばね430のもう一端はリアシェル130に突っ張る。
【００１７】
図1、図2及び図7のように、リアシェル130の噛み合い仕組み131はリアシェル130の頂部の二つのスロットがあり、二つのスロットの開け口は下へ向く。上方固定部品300は固定部品310、及び固定部品310に設置される二つの突起320を含む。二つの突起320は上へ突出する。もちろん、噛み合い仕組み131とボタン部品500は位置を入替える後に、即ち噛み合い仕組み131はリアシェル130の底部に設置される時に、スロットの開け口の方向はそれと相応に上向きに調整さ、固定部品310の二つの突起320はそれと相応に下向きに調整される。固定部品310には取付け穴311が設置される。スマート電子ロックがスーツケースに応用される場合は、固定部品310は取付け穴311に設置されるネジによりケースカバーに固定される。
【００１８】
図8のように、フロントシェル120パネル121に設置されるセンサー122は感応レンズであり、携帯電話のAPPからの光を受信できる。
【００１９】
図9のように、ロックを掛ける時に、まず、シェルボディ100を下へ押し、リアシェル130にある二つのスロットを上方固定部品300の二つの突起320と噛み合わせ、シェルボディ100とケースカバーの初期の噛合いを実現する。それから、シェルボディ100の下部を内側へ押し、シェルボディ100下部と対応する下方固定部品400の第二フック411が圧力により前へ動きボタン510の隙間513に入り、第二フック411と第一フック523の配合面に沿って推進部品520に突っ張る。第二弾性部品530が圧縮されることで、第二フック411が第一フック523の内側に滑り込み、第一フック523と逆方向に噛合い、第二弾性部品530が跳ね返り、推進部品520を下へ突っ張り、第一フック523と第二フック411の固定接続を保証する。このときに、下方固定部品400のねじりばね430の両端はそれぞれ固定子410の内側及びリアシェル130に突っ張る。このとき、スマート電子ロックのロック作動が完了した。図10のように、このプロセスでは、ロックシリンダー部品200の水平ポール230及び第一弾性部品240は外力を受けず元々の位置を保持し、且つ水平ポール230には逃げ溝231が設置され、ロックした状態では、逃げ溝231とボタン510の内側ポール511の端部は入れ違いし、内側ポール511の端部は水平ポール230に突っ張ることで、電子ロックが開けなくなる。
【００２０】
図11、12のように、アンロックする時に、携帯電話のAPP又は専用の光キーからの光はセンサー122へ光信号を発送し、回路盤部品により光信号を電気信号に変換し、ロックシリンダー部品200の電磁石210が電気信号を受信した後に下へ動き、直立ポール220を下へ動かす。同時に、図13のように、水平ポール230が直立ポール220に押され水平に移動し、第一弾性部品240を圧縮する。水平ポール230上の逃げ溝231が内側ポール511と対応する位置に動いた時に、水平ポール230が留まる。このときに、ボタン部品500を上へ押し、ボタン510は推進部品520及び第二弾性部品530を上へ動かし、ボタン510の内側ポール511は逃げ溝231に入ることで、ボタン510は十分な変位があり推進部品520を押すことを保証する。推進部品520の第一フック523と下方固定部品400の第二フック411が離れる時に、ねじりばね430のバネ力に押され、シェルボディ100を前へ動かし、下方固定部品400とボタン部品500が分離しアンロックする。最後に、シェルボディ100を上へ動かし、リアシェル130の頂部のスロットと上方固定部品300の突起320を離させることで、シェルボディ100と上方固定部品300を徹底的に分離させ、ケースカバーとケースボディのアンロックを実現する。
【００２１】
本発明は一種類のスーツケースをも提供している。ケースボディとケースカバーを含む。前記ケースボディと前記ケースカバーの間には前記スマート電子ロックが設置されている。前記のように、取り付ける時には、スマート電子ロックの上方固定部品300をケースカバーの辺縁に固定し、下方固定部品400ケースボディの辺縁に固定する同時に、シェルボディ100及び内部の各部品を下方固定部品400と固定接続する。前記スマート電子ロックの設置により、ユーザは携帯電話のAPPを利用すれば、容易に素早くアンロックすることを実現し、長期未使用によるパスワード忘れの問題を回避する；同時に、ロックシリンダー部品200はロック本体に取り付けられ、ほかの不正方法により開けることを回避し、安全性が高い；このような光制御によりアンロックする方法が目新しくて、ユーザへ真新しい体験をもたらしている；同時にロックシリンダー部品200は回路制御を採用するため、回路によりほかの機能を拡張できる。例えば、GPSロケーション機能、弱電注意機能などがある。それにより、さらにスマート電子ロックの使用性能を向上している。
【００２２】
上記内容は本発明のよりよい実施例だけであり、本発明を限定することに使われない。本発明の趣旨と原則に基づくいかなる修正、同等取替えや改善などは、本発明の保護範囲に含まれるべきである。
【図１】
2019520947.tif 000003
【図２】
2019520947.tif 000004
【図３】
2019520947.tif 000005
【図４】
2019520947.tif 000006
【図５】
2019520947.tif 000007
【図６】
2019520947.tif 000008
【図７】
2019520947.tif 000009
【図８】
2019520947.tif 000010
【図９】
2019520947.tif 000011
【図１０】
2019520947.tif 000012
【図１１】
2019520947.tif 000013
【図１２】
2019520947.tif 000014
【図１３】
2019520947.tif 000015
【国際調査報告】
2019520947.tif 000016
2019520947.tif 000017
2019520947.tif 000018
2019520947.tif 000019